(57)【要約】本発明は、例えば壁紙（１）のような、起伏を有する壁被覆物（１）を製造する方法であって、連続工程において（印刷部数が限られている場合に）より安価で、パターンの繰返しの寸法に関して制限が少ない方法において、ステップａ：  基部（２）を準備すること、ステップｂ：  アナログ型印刷技術を用い連続工程で、この基部（２）に熱膨張可能材料（５）を付着すること、ステップｃ：  デジタル型印刷技術を用いて、既に熱膨張可能材料（５）が付着されている基部（２）の上に、連続工程で所望のパターンで、熱膨張可能材料（５）の膨張に影響を与える１又は２以上の液体（４）を付着すること、ステップｄ：  基部（２）に付着されている熱膨張可能材料（５）及びその上に付着されている１又は2以上の液体（４）とともに基部（２）を、熱膨張可能材料（５）が膨張する温度まで加熱すること、を含む方法に関する。【選択図】    図１
2014514187.tif 000002
【特許請求の範囲】
【請求項１】
例えば壁紙（１）のような、起伏を有する壁被覆物（１）を製造する方法であって、
ステップａ  基部（２）を準備すること、
ステップｂ  アナログ型印刷技術を用い連続工程で、この基部（２）に熱膨張可能材料（５）を付着すること、
ステップｃ  既に熱膨張可能材料（５）が付着されている基部（２）の上に、連続工程で所望のパターンで、熱膨張可能材料（５）の膨張に影響を与える１又は２以上の液体（４）を付着すること、
ステップｄ  基部（２）に付着されている熱膨張可能材料（５）及びその上に付着されている１又は２以上の液体（４）とともに基部（２）を、熱膨張可能材料（５）が膨張する温度まで加熱すること、
を含む方法において、
ステップｃにおいて、１又は2以上の液体（４）がデジタル型印刷技術によって付着されることを特徴とする方法。
【請求項２】
熱膨張可能材料（５）がＰＶＣペーストであることを特徴とする請求項１に記載の方法。
【請求項３】
熱膨張可能材料（５）が主たる構成要素としてＰＶＣを含むことを特徴とする請求項１又は２に記載の方法。
【請求項４】
熱膨張可能材料（５）が主たる構成要素としてアクリルを含むことを特徴とする請求項１又は２に記載の方法。
【請求項５】
デジタル型印刷技術がインクジェット印刷技術であることを特徴とする請求項１から４の中のいずれか１つに記載の方法。
【請求項６】
１又は2以上の液体（４）が１又は2以上のプリントヘッド（３）によって基部（２）の上に噴霧されることを特徴とする請求項１から５の中のいずれか１つに記載の方法。
【請求項７】
１又は2以上のプリントヘッド（３）が圧電的に制御されていることを特徴とする請求項６に記載の方法。
【請求項８】
１又は2以上のプリントヘッド（３）が、互いに隣接し連続して、及び／又は、平行な複数の列に、固定的に配置された複数のプリントヘッド（３）を含んでいることを特徴とする請求項６又は７に記載の方法。
【請求項９】
１又は２以上のプリントヘッド（３）に対して基部（２）が前進するように基部（２）が連続して供給されることを特徴とする請求項６から８の中のいずれか１つに記載の方法。
【請求項１０】
１又は2以上の液体（４）が色彩を決定することを特徴とする請求項１から９の中のいずれか１つに記載の方法。
【発明の詳細な説明】
【技術分野】
【０００１】
本発明は、例えば壁紙のような、起伏を有する壁被覆物（wall covering）を製造する方法であって、
ステップａ：  基部を準備すること、
ステップｂ：  アナログ型印刷技術を用い連続工程で、この基部に熱膨張可能材料を付着すること、
ステップｃ：  熱膨張可能材料が既に付着されている基部上に、連続工程で所望のパターンで、熱膨張可能材料の膨張に影響を与える１又は2以上の液体を付着すること、
ステップｄ：  基部に付着されている熱膨張可能材料及びその上に付着されている１又は2以上の液体とともに基部を、熱膨張可能材料が膨張する温度まで加熱すること、
を含む方法に関する。
【０００２】
本明細書において、「起伏を有する壁被覆物」は、壁被覆物の表面が、基部が当初有している高さあるいは厚さと異なる、少なくとも２つの高さあるいは厚さを有していることを意味すると理解される。この場合においては、このような起伏は、基部のすべての表面をカバーしていても良いし、あるいは、基部の一部分の表面をカバーしていても良い。
【０００３】
このような壁被覆物は、例えば壁紙、あるいは、例えば絵画の複製などであっても良い。
【背景技術】
【０００４】
このような壁被覆物を得るために、例えば紙製、織物製、不織布製、プラスティック製、ダンボール紙製の基部のような、種々の基部を用いることが可能である。これらの基部は、起伏が付けられる前に、１又は２以上の仕上げ層を選択的に付着しても良く、また、起伏が付けられた後に、１又は２以上の仕上げ層を付着していても良い。これらの仕上げ層は、例えば色彩や起伏を有していても良い。
【０００５】
この目的のために用いることが可能な熱膨張可能材料は、また、壁紙や壁被覆物の産業において一般的に用いられ、よく知られている。
【０００６】
この熱膨張可能材料は、例えば、いわゆるＰＶＣペーストから成り、該ＰＶＣペーストは、
例えばポリ塩化ビニル（ＰＶＣ）及び／又は例えばポリ塩化ビニリデン、ポリ酢酸ビニル、ポリアクリル酸塩、ポリメタクリル酸などの変種を含み、
例えばフタル酸類又は環境にやさしい代替物などの柔軟剤、及び／又は例えばカルシウムのような充填剤、及び／又は希釈剤、及び／又は安定剤、及び／又は、例えばアゾジカーボンアミド、アゾイソブチロニトリル、ベンゼン、スルホヒドラジド、重炭酸ナトリウムなどの発泡剤、及び／又は触媒、及び／又は促進剤のうちの１または２以上が補足として加えられている。
【０００７】
熱膨張可能材料の膨張に影響を与える液体は、壁紙や壁被覆物の産業において知られており、とりわけ、例えばＵＳ５，７１２，０１８Ａに記載されているような、この熱膨張可能材料の膨張を促進する液体及び／又はこの熱膨張可能材料の膨張を妨害しあるいは阻止する液体であっても良い。
【０００８】
起伏を有する壁被覆物が連続工程で製造されるような公知の技術は、限定された印刷部数が製造される場合には、通常、比較的高価である。応用において、回転する円柱体を用いた連続工程で起伏が付けられる例えば壁紙については、当該公知の方法は、連続工程に特有の繰返しのために、起伏により基部に付けられるパターンが限られているという付加的欠点を有している。
【０００９】
壁紙については、支持体又は基部の上に材料を付着することによって起伏を作ることが可能である。当該材料を付着している間に、ある形やデザインが付着される時に、結果として生じる起伏はこの形やデザインとなり、基部に付着される。加えて、異なる場所で基部へ異なる量の材料を付着することによって、あるいは異なる組成及び異なる膨張特性を有する材料を連続工程で異なる円柱体を交互に用いて付着することによって、当該パターンの高さを変えることが可能である。このようにして、3次元（長さ、幅、高さ）を用いた装飾を付けることが可能である。
【００１０】
壁紙に起伏を付けるための現状の連続製造方法を用いて、機械的エンボス加工、化学的エンボス加工、あるいはスクリーン印刷技術によって、この起伏は付けられている。
【００１１】
機械的エンボス加工の場合、熱膨張可能材料として（選択的に着色された）ＰＶＣペーストが最初に基部に付着され、その後に、製造工程の次のステップでＰＶＣペーストを膨張させるためにそれは加熱される。そして、所望の起伏が凸にあるいは凹に付けられている１つの円柱体または2つの円柱体の組合せを用いて、所望の起伏がＰＶＣペースト層の上にエンボス加工される。もし着色された壁紙を製造することが望まれるならば、基部は、エンボス加工の前あるいは後に、付加的な着色インクで印刷されなければならない。
【００１２】
化学的エンボス加工の場合、熱膨張可能材料として（選択的に着色された）ＰＶＣペーストが最初に基部に付着される。製造工程の次のステージで、連続工程でアナログ型印刷技術を用いて熱膨張可能材料の膨張に影響を与える液体をＰＶＣペーストに印刷する。該液体は、熱膨張可能材料の膨張を促進する液体であっても良いし、及び／又は熱膨張可能材料の膨張を妨害あるいは阻止する液体であっても良い。続いて、ＰＶＣペーストは加熱され、その結果として、ＰＶＣペーストは膨張する。熱膨張可能材料の膨張を促進する、及び／又は熱膨張可能材料の膨張を妨害あるいは阻止する液体がＰＶＣペーストに印刷されている場所において、このＰＶＣペーストに印刷がされていない場所に比べて、ＰＶＣペーストは、それぞれ、より大きく、あるいは、より小さく膨張する。このような方法で製造された壁紙は、スコープ壁紙（scope wallpaper）として知られている。
【００１３】
スクリーン印刷技術の場合、所望の起伏パターンに対応して開口が作られている円柱体によって、起伏規定液体（通常は熱膨張可能ＰＶＣペースト）が基部に付着される。続いて、ＰＶＣペーストを膨張させ、結果として所望の起伏を得るために基部は炉で加熱される。もし着色された壁紙を製造することが望まれるならば、異なる印刷用円柱体を用いることができ、その場合、異なる色のＰＶＣペーストが各々の円柱体によって基部に付着される。したがって、現状の装置において、付着させることが可能な色の数は、通常、最大１２色に限定される。もしさらなる色の種類が所望されるならば、事前にあるいは次のステップにおいて複数の着色インクで壁紙を印刷することが可能である。
【００１４】
連続工程における機械的エンボス加工及び化学的エンボス加工、そして連続工程におけるスクリーン印刷技術においては、起伏に付けられる意図されたパターンは、ＰＶＣペーストを用いて起伏が刻印され、あるいは付着される円柱体の繰り返しによって、制限される。もし支持体に付加的なパターンを付けることが望まれるならば、第2の印刷用円柱体を用いなければならないか、あるいは、別の印刷用円柱体を用いて第2の同様の処理を繰り返さなければならない。
【００１５】
これらの全ての技術は通常、機械の操業開始の際に材料の損失を伴う。とりわけ、異なる複数の円柱体を互いに一致させて、それらが同調して運転される、機械の操業開始の間に材料の損失を伴う。
【発明の開示】
【発明が解決しようとする課題】
【００１６】
それゆえ、本発明の目的は、第1に、（印刷部数が限られている場合に）より安価なやり方で連続工程で基部に起伏を付けることが可能な方法を提供することであり、第2に、パターンの繰り返しの寸法に関してより少ない制限で連続工程で基部に起伏を付けることが可能な方法を提供することである。
【課題を解決するための手段】
【００１７】
本発明のこの目的は、例えば壁紙のような、起伏を有する壁被覆物を製造する方法であって、
ステップａ  基部を準備すること、
ステップｂ  アナログ型印刷技術を用い連続工程で、この基部に熱膨張可能材料を付着すること、
ステップｃ  デジタル型印刷技術を用いて、既に熱膨張可能材料が付着されている基部の上に、連続工程で所望のパターンで、熱膨張可能材料の膨張に影響を与える１又は２以上の液体を付着すること、
ステップｄ  基部に付着されている熱膨張可能材料及びその上に付着されている１又は２以上の液体とともに基部を、熱膨張可能材料が膨張する温度まで加熱すること、
を含む方法を提供することによって、達成される。
【００１８】
印刷用円柱体を用いる代わりに、既に当該熱膨張可能材料が付着されている基部に液体を付着するためにデジタル型印刷技術を用いることが現在は可能であり、これらの液体が基部上の熱膨張可能材料の膨張を促進するかあるいは基部上の熱膨張可能材料の膨張を妨害又は阻止する。そして、これらの液体が、所望の起伏が作られるような方法で、熱膨張可能材料が膨張することを可能にする。
【００１９】
複数のこれらの液体を付着するのが望ましい場合、複数の液体を同時に付着することが可能であり、あるいは、複数の液体を順時に基部に付着することが可能であり、あるいは、複数の液体を、異なる段階において、その都度、同時に付着することが可能である。
【００２０】
したがって、デジタル型印刷技術は、連続工程で起伏を有する壁被覆物を製造するための事実上無制限の可能性を提供する。このようにして、印刷用円柱体の寸法によってもはや制限されないパターンを起伏に付けることが可能である。加えて、起伏のデザインあるいはパターンの変更の結果として長い運転休止をもたらすことなく、あるいは、装置（新しい印刷用円柱体）を作るための付加的な費用なしで、起伏のデザインあるいはパターンを頻繁に変更することが可能であるという大きな利点がデジタル型印刷技術によって得られる。そして、１つの壁紙ロールにおいていわゆる「ストリップ」（その寸法は平均的な部屋の高さに対応している）毎に異なる起伏を提供することがこの技術によって可能となる。異なるストリップを互いに隣接する壁に続けて付ける時には、１つのストリップの幅を超えて、複数のストリップにわたって延びる起伏のパターンを作ることができる。機械を始動する時の、とりわけ、種々の印刷用円柱体が同調して運転されるまで、種々の印刷用円柱体を互いに一致させる間の典型的な材料の損失が、大幅に低減される。
【００２１】
しかしながら、一般的なＰＶＣペーストの大変に低い粘性と典型的ＰＶＣ分子の寸法のため、ＰＶＣペースト自体のデジタル型印刷に関しては実用上の問題が生じる。これらの問題に対して技術的解決方法を提供するのは可能であるが、これらの技術的解決方法はＰＶＣペーストの製造を著しく高価にし、また、典型的な工業デジタルプリントヘッドの印刷ノズルに対して準備しなければならないペーストの量がかなり多くなるという事実のために製造工程が遅らせられる。ＰＶＣペーストのデジタル型印刷を用いた起伏を有する壁被覆物を製造することは、それゆえ、アナログ型印刷技術を用いてＰＶＣペーストを基部に付着する、起伏を有する壁被覆物を製造する伝統的な方法に比べて高価となる。
【００２２】
アナログ型印刷技術を用いて熱膨張可能材料を付着して、そして、熱膨張可能材料の膨張に影響を与え、デジタル処理でより容易に印刷することができる液体のみをデジタル型印刷技術を用いて付着することによって、製造コストの著しい上昇なしで、起伏を有する壁被覆物を製造するためのデジタル型印刷技術の適用による上記の利点を享受することが可能である。
【００２３】
本発明に係る好ましい方法において、熱膨張可能材料はＰＶＣペーストである。
【００２４】
本発明の第1の方法においては、熱膨張可能材料の主な構成要素はＰＶＣである。本発明の第２の方法においては、熱膨張可能材料の主な構成要素はアクリルである。
【００２５】
本発明に係る方法で用いられるデジタル型印刷技術は好ましくはインクジェット印刷技術である。
【００２６】
この目的のために、例えば、インクジェット・プリンターを使うことが可能である。しかし、この場合において、インクは使われずに、熱膨張可能材料の膨張に影響を与える１又は２以上の液体が印刷可能な形態で用いられる。付着される液体に応じて、印刷ノズルは比較的広くあるいは比較的狭く設計されても良く、プリントヘッドは、例えば、特定の液体に耐える材料で作られる。
【００２７】
１又は２以上の液体が、好ましくは、１又は２以上のプリントヘッドによって、基部上に噴霧される。
【００２８】
本発明に係る特に好ましい方法においては、１又は２以上のプリントヘッドは圧電的に制御されている。圧電制御ユニットを備えたプリントヘッドは、ある限界内で、事実上、液体に依存しないので、同じ方法及び装置を異なる液体を備えた複数の製造工程に用いることができる。
【００２９】
今日においては、電流制御されたプリントヘッドを用いて、ある位置に液体を付着したり付着しなかったりすることを決定することが可能であるばかりでなく、この位置に付着する液体の量も決定することができる。したがって、各位置に設ける起伏の高さを制御することが可能である。
【００３０】
本発明に係る特別の方法において用いられる１又は２以上のプリントヘッドは、好ましくは互いに隣接し連続して、及び／又は、平行な複数の列に、固定的に配置された複数のプリントヘッドを含んでいる。
【００３１】
互いに隣接して複数のデジタル型プリントヘッドを配置することによって、そして、もし望むならば、基部の送り方向に対して横方向の列を縦に並べて複数の列に複数のデジタル型プリントヘッドを配置することによって、特に早い方法で基部の上に所望の起伏を作ることが可能である。
【００３２】
本発明に係る特定の方法においては、１又は２以上のプリントヘッドに対して基部が前進するように基部が連続して供給される。
【００３３】
本発明に係るさらに特別の方法においては、１又は２以上の液体が色も決める
【００３４】
１又は２以上の起伏決定液体の付着前あるいは後に、異なった厚さを有することができる１又は２以上の仕上げ層を基部に付着することもできる。これらの仕上げ層は、とりわけ、ビニル（ＰＶＣ、ＰＶＢなど）、アクリル含有物質、ワニス、にかわ、ＰＡ、ＰＥＳ、顔料などを含んでいても良い。付加的層及び／又は起伏決定液体の中に、及び／又は別々に、殺菌性生成物、微生物殺害生成物、不燃性生成物、耐擦り傷性の優れた生成物、耐摩耗性の優れた生成物のような付加的な性質を液体に付加することも可能である。
【００３５】
これらの付加的な仕上げ層及び／又は付加的な生成物は、公知の方法で付着されても良く、あるいは、デジタル型印刷技術で付着されても良い。付着される液体によって、印刷ノズルは比較的広くても比較的狭くても良く、プリントヘッドは、例えば、特定の液体に耐える材料で作られることができる。
【００３６】
本発明に係る好ましい装置及び方法についての次の詳細な記載に従って、本発明は詳細に説明される。この記載の目的は、説明の役に立つ実施例を与え、更なる利点及びこれら装置及び方法の詳細を示すことであり、それゆえ、本発明の応用分野の限定又は請求項において定義される特許権の限定として解釈されることはできない。
【００３７】
本明細書において符号は次の添付図面を参照するために用いられている。
【図面の簡単な説明】
【００３８】
【図１】熱膨張可能材料の層を備えた基部の上に熱膨張可能材料の膨張を促進する液体をデジタル型印刷し、そして、これらを加熱することによって、起伏のある壁紙がどのようにして得られるかを図示している側面図である。
【図２】熱膨張可能材料の層を備えた基部の上に熱膨張可能材料の膨張を阻止する液体をデジタル型印刷し、そして、これらを加熱することによって、起伏のある壁紙がどのようにして得られるかを図示している側面図である。
【発明を実施するための最良の形態】
【００３９】
図示された方法は壁紙に関して記載されている。しかしながら、本発明は、例えば、現物の絵画の現物の絵の具のマッス（絵画の中の、光や色合いが均一に近い、大きな部分）の複製された起伏を含む油絵の複製品のように、芸術作品の起伏を有する複製品を含む、一般的な壁被覆物（wall coverings）にも用いることができる。
【００４０】
図1及び図2は、それぞれの場合において、1つまたは2以上のプリントヘッド３によって、熱膨張可能材料５の膨張に影響を与える液体４が、熱膨張可能材料５の層を備えた基部２の上にどのように付着されるかを示している。熱膨張可能材料５の膨張に影響を与えるこの液体４は、この場合において、少なくとも部分的に起伏を決定する。この目的に用いることができる液体４は、例えば、現在の壁紙製造技術で知られている液体４であってもよい。
【００４１】
ＰＶＣペースト５は、各々の場合において、熱膨張可能材料５として、基部２に付着される。これは、例えばスクリーン印刷技術によって公知の方法で実施されてもよい。
【００４２】
各々の場合において、基部に付着されているＰＶＣペースト５を備えた基部２は、不図示の送り手段によって送り方向Ａへ、プリントヘッド３に対して前進する。この場合において、送りは連続的方法で実行することができる。プリントヘッド３は１つの装置当たり１または2以上のプリントヘッド３を備えており、そして、プリントヘッド３は基部２の送り方向Ａに対して横方向に移動することができ、あるいは、互いに隣接する１または2以上の列として固定的に配置されてもよく、この場合には、これらの列は基部２の送り方向Ａに対して横方向に延びている。もしプリントヘッド３が互いに隣接して固定的に配置され、列を縦に並べて複数の列に配置されているならば、壁紙１に高速で連続的方法で起伏を付けることができる。
【００４３】
実質的に液体に依存しないプリントヘッド３を作るために、プリントヘッド３は圧電駆動可能であるのが好ましい。この場合には、液体が壁紙２に付着されるか否かを決めるだけではなく、壁紙に付着される液体の量も決めるように、プリントヘッドは駆動されるのが好ましい。
【００４４】
各々の場合において、壁紙１に起伏を付ける装置は、基部２に付着されたＰＶＣペースト５及びその上に付着された液体４とともに基部２を熱にさらすための加熱手段６を含んでいる。従来技術による壁紙を作るための現状の装置で用いられているものと同一あるいは類似の加熱炉６を加熱手段６として用いることができる。
【００４５】
図１において、アナログ型印刷技術を用いてＰＶＣペースト５の層が付着された基部２に、熱膨張可能材料５の膨張を促進する１または２以上の液体４を付着することによって、起伏を有する壁紙１をどのようにして製造できるかを図示している。液体４は、プリントヘッド３の下方を通過する支持体２の上方の１または2以上のプリントヘッド３によって印刷可能な方式で印刷され、制御ユニットによりこれらの液体４が付着される場所及び付着される量が決定される。基部２が加熱炉６の下を通過する時に、ＰＶＣ層５は、所望の起伏が形成されるまで、これらの液体４が印刷されている１又は2以上の位置でのみ膨張し、又は該位置においてより多く膨張する。
【００４６】
図2に示すように、熱膨張可能材料５の層が付着された壁紙２の上に、当該熱膨張可能材料５の膨張を阻止あるいは妨害する液体４を印刷可能な方法で同様にデジタル型印刷することにより、起伏を設けることも可能である。例えばＰＶＣ層５である熱膨張可能材料５の層には、特定の温度で当該ＰＶＣを膨張させる化学薬品が付着されているが、この場合において、液体４が付着されていない場所のみにおいて完全に膨張し、そして、液体４が膨張を制限している場所あるいは膨張を阻止している場所においては部分的に膨張し、あるいは、全く膨張しない。
【００４７】
明らかに、壁紙２の上に所望の起伏を製造するために、上記の技術の組み合わせを適用することも可能である。
【符号の説明】
【００４８】
１  壁紙
２  基部、支持体、壁紙
３  プリントヘッド
４  液体
５  熱膨張可能材料、ＰＶＣペースト、ＰＶＣ層
６  加熱手段、加熱炉
【図１】
2014514187.tif 000003
【図２】
2014514187.tif 000004
【国際調査報告】
2014514187.tif 000005
2014514187.tif 000006